(57)【特許請求の範囲】
【請求項１】
複数の動作モードとして通常運行モードと点検モードで動作可能であり、通常運行モードと点検モードとを切り換えるためのスイッチが設けられ、動作中に複数種の動作状態信号を収集し、収集した前記複数種の動作状態信号を記憶するエレベーターシステムに接続され、
前記エレベーターシステムで記憶されている前記複数種の動作状態信号が収集された際の動作モードを判定するための判定基準が前記複数種の動作状態信号のうちの特定の照合対象動作状態信号と対応付けて示される判定基準情報と、前記複数種の動作状態信号のうち読出しの対象として選択される１つ以上の選択動作状態信号が動作モードごとに定義される信号定義情報とを記憶する情報記憶部と、
前記判定基準情報に基づき、前記エレベーターシステムから前記照合対象動作状態信号を読み出し、読み出した前記照合対象動作状態信号と前記判定基準とを照合して、前記複数種の動作状態信号が収集された際の動作モードを判定する動作モード判定部と、
前記信号定義情報に基づき、前記エレベーターシステムから、前記動作モード判定部により判定された動作モードに対して定義されている各選択動作状態信号を選択して読み出す動作状態選択読出し部とを有し、
前記情報記憶部は、
前記スイッチの動作状態信号を前記照合対象動作状態信号とし、前記スイッチが通常運行モード側にある動作状態信号であれば通常運行モードと判定され、前記スイッチが点検モード側にある動作状態信号であれば点検モードと判定される判定基準が示される判定基準情報を記憶していることを特徴とするシステム監視装置。
【請求項２】
複数の動作モードとして通常運行モードと診断運転モードで動作可能であり、動作中に複数種の動作状態信号を収集し、収集した前記複数種の動作状態信号を記憶するエレベーターシステムに接続され、
前記エレベーターシステムで記憶されている前記複数種の動作状態信号が収集された際の動作モードを判定するための判定基準が前記複数種の動作状態信号のうちの特定の照合対象動作状態信号と対応付けて示される判定基準情報と、前記複数種の動作状態信号のうち読出しの対象として選択される１つ以上の選択動作状態信号が動作モードごとに定義される信号定義情報とを記憶する情報記憶部と、
前記判定基準情報に基づき、前記エレベーターシステムから前記照合対象動作状態信号を読み出し、読み出した前記照合対象動作状態信号と前記判定基準とを照合して、前記複数種の動作状態信号が収集された際の動作モードを判定する動作モード判定部と、
前記信号定義情報に基づき、前記エレベーターシステムから、前記動作モード判定部により判定された動作モードに対して定義されている各選択動作状態信号を選択して読み出す動作状態選択読出し部とを有し、
前記情報記憶部は、
前記診断運転モードでの運行を指示する診断運転コマンドの受信有無が示される動作状態信号を前記照合対象動作状態信号とし、前記エレベーターシステムが前記診断運転コマンドを受信していれば診断運転モードと判定される判定基準が示される判定基準情報を記憶していることを特徴とするシステム監視装置。
【請求項３】
前記情報記憶部は、
前記照合対象動作状態信号が記憶されている前記エレベーターシステム内のメモリのアドレスが示される判定基準情報と、動作モードごとに各選択動作状態信号が記憶されている前記エレベーターシステム内のメモリのアドレスが示される信号定義情報とを記憶し、
前記動作モード判定部は、
前記判定基準情報に示される前記照合対象動作状態信号のアドレスに従い、前記エレベーターシステムから前記照合対象動作状態信号を読み出し、
前記動作状態選択読出し部は、
前記動作モード判定部により判定された動作モードに対して前記信号定義情報に示されている各選択動作状態信号のアドレスに従い、前記エレベーターシステムから各選択動作状態信号を選択して読み出すことを特徴とする請求項１又は２に記載のシステム監視装置。
【請求項４】
前記システム監視装置は、更に、
前記動作状態選択読出し部により読み出された選択動作状態信号を、所定の記録装置に出力する信号出力部を有することを特徴とする請求項１又は２に記載のシステム監視装置。
【請求項５】
前記信号出力部は、
複数の記録装置に接続されており、
前記動作モード判定部により判定された動作モードに応じて、前記動作状態選択読出し部により読み出された選択動作状態信号の出力先の記録装置を切り換えることを特徴とする請求項４に記載のシステム監視装置。
【請求項６】
前記システム監視装置は、更に、
前記記録装置の記録負荷状況に応じて、前記信号出力部からの出力信号量を調整する出力負荷調整部を有し、
前記信号出力部は、
前記出力負荷調整部が調整した出力信号量の範囲内で、前記動作状態選択読出し部により読み出された選択動作状態信号を前記記録装置に出力することを特徴とする請求項５に記載のシステム監視装置。
【請求項７】
前記動作状態選択読出し部は、
前記エレベーターシステムが集音対象モードで動作している際に集音された音声データを記憶する音声データ記憶装置と接続されており、
前記情報記憶部は、
前記集音対象モードに対して１つ以上の選択動作状態信号の読み出しを定義するとともに、前記音声データ記憶装置で記憶されている音声データの読み出しを定義する信号定義情報を記憶しており、
前記動作状態選択読出し部は、
前記動作モード判定部により判定された動作モードが前記集音対象モードである場合に、前記信号定義情報で定義されている前記集音対象モードの選択動作状態信号を前記エレベーターシステムから読み出とともに、前記音声データ記憶装置から音声データを読み出すことを特徴とする請求項１又は２に記載のシステム監視装置。
【請求項８】
複数の動作モードとして通常運行モードと点検モードで動作可能であり、通常運行モードと点検モードとを切り換えるためのスイッチが設けられ、動作中に複数種の動作状態信号を収集し、収集した前記複数種の動作状態信号を記憶するエレベーターシステムに接続されたコンピュータが行うシステム監視方法であって、
前記エレベーターシステムで記憶されている前記複数種の動作状態信号が収集された際の動作モードを判定するための判定基準が前記複数種の動作状態信号のうちの特定の照合対象動作状態信号と対応付けて示される判定基準情報と、前記複数種の動作状態信号のうち読出しの対象として選択される１つ以上の選択動作状態信号が動作モードごとに定義される信号定義情報とを、前記コンピュータが所定の記憶領域から読み取る情報読取りステップと、
前記コンピュータが、前記判定基準情報に基づき、前記エレベーターシステムから前記照合対象動作状態信号を読み出し、読み出した前記照合対象動作状態信号と前記判定基準とを照合して、前記複数種の動作状態信号が収集された際の動作モードを判定する動作モード判定ステップと、
前記コンピュータが、前記信号定義情報に基づき、前記エレベーターシステムから、前記動作モード判定ステップにより判定された動作モードに対して定義されている各選択動作状態信号を選択して読み出す動作状態選択読出しステップとを有し、
前記情報読取りステップにおいて、
前記コンピュータが、
前記スイッチの動作状態信号を前記照合対象動作状態信号とし、前記スイッチが通常運行モード側にある動作状態信号であれば通常運行モードと判定され、前記スイッチが点検モード側にある動作状態信号であれば点検モードと判定される判定基準が示される判定基準情報を読み取ることを特徴とするシステム監視方法。
【請求項９】
複数の動作モードとして通常運行モードと診断運転モードで動作可能であり、動作中に複数種の動作状態信号を収集し、収集した前記複数種の動作状態信号を記憶するエレベーターシステムに接続されたコンピュータが行うシステム監視方法であって、
前記エレベーターシステムで記憶されている前記複数種の動作状態信号が収集された際の動作モードを判定するための判定基準が前記複数種の動作状態信号のうちの特定の照合対象動作状態信号と対応付けて示される判定基準情報と、前記複数種の動作状態信号のうち読出しの対象として選択される１つ以上の選択動作状態信号が動作モードごとに定義される信号定義情報とを、前記コンピュータが所定の記憶領域から読み取る情報読取りステップと、
前記コンピュータが、前記判定基準情報に基づき、前記エレベーターシステムから前記照合対象動作状態信号を読み出し、読み出した前記照合対象動作状態信号と前記判定基準とを照合して、前記複数種の動作状態信号が収集された際の動作モードを判定する動作モード判定ステップと、
前記コンピュータが、前記信号定義情報に基づき、前記エレベーターシステムから、前記動作モード判定ステップにより判定された動作モードに対して定義されている各選択動作状態信号を選択して読み出す動作状態選択読出しステップとを有し、
前記情報読取りステップにおいて、
前記コンピュータが、
前記診断運転モードでの運行を指示する診断運転コマンドの受信有無が示される動作状態信号を前記照合対象動作状態信号とし、前記エレベーターシステムが前記診断運転コマンドを受信していれば診断運転モードと判定される判定基準が示される判定基準情報を読み取ることを特徴とするシステム監視方法。
【請求項１０】
複数の動作モードとして通常運行モードと点検モードで動作可能であり、通常運行モードと点検モードとを切り換えるためのスイッチが設けられ、動作中に複数種の動作状態信号を収集し、収集した前記複数種の動作状態信号を記憶するエレベーターシステムに接続されたコンピュータに、
前記エレベーターシステムで記憶されている前記複数種の動作状態信号が収集された際の動作モードを判定するための判定基準が前記複数種の動作状態信号のうちの特定の照合対象動作状態信号と対応付けて示される判定基準情報と、前記複数種の動作状態信号のうち読出しの対象として選択される１つ以上の選択動作状態信号が動作モードごとに定義される信号定義情報とを所定の記憶領域から読み取る情報読取り処理と、
前記判定基準情報に基づき、前記エレベーターシステムから前記照合対象動作状態信号を読み出し、読み出した前記照合対象動作状態信号と前記判定基準とを照合して、前記複数種の動作状態信号が収集された際の動作モードを判定する動作モード判定処理と、
前記信号定義情報に基づき、前記エレベーターシステムから、前記動作モード判定処理により判定された動作モードに対して定義されている各選択動作状態信号を選択して読み出す動作状態選択読出し処理とを実行させるプログラムであって、
前記情報読取り処理において、
前記コンピュータに、
前記スイッチの動作状態信号を前記照合対象動作状態信号とし、前記スイッチが通常運行モード側にある動作状態信号であれば通常運行モードと判定され、前記スイッチが点検モード側にある動作状態信号であれば点検モードと判定される判定基準が示される判定基準情報を読み取らせることを特徴とするプログラム。
【請求項１１】
複数の動作モードとして通常運行モードと診断運転モードで動作可能であり、動作中に複数種の動作状態信号を収集し、収集した前記複数種の動作状態信号を記憶するエレベーターシステムに接続されたコンピュータに、
前記エレベーターシステムで記憶されている前記複数種の動作状態信号が収集された際の動作モードを判定するための判定基準が前記複数種の動作状態信号のうちの特定の照合対象動作状態信号と対応付けて示される判定基準情報と、前記複数種の動作状態信号のうち読出しの対象として選択される１つ以上の選択動作状態信号が動作モードごとに定義される信号定義情報とを所定の記憶領域から読み取る情報読取り処理と、
前記判定基準情報に基づき、前記エレベーターシステムから前記照合対象動作状態信号を読み出し、読み出した前記照合対象動作状態信号と前記判定基準とを照合して、前記複数種の動作状態信号が収集された際の動作モードを判定する動作モード判定処理と、
前記信号定義情報に基づき、前記エレベーターシステムから、前記動作モード判定処理により判定された動作モードに対して定義されている各選択動作状態信号を選択して読み出す動作状態選択読出し処理とを実行させるプログラムであって、
前記情報読取り処理において、
前記コンピュータに、
前記診断運転モードでの運行を指示する診断運転コマンドの受信有無が示される動作状態信号を前記照合対象動作状態信号とし、前記エレベーターシステムが前記診断運転コマンドを受信していれば診断運転モードと判定される判定基準が示される判定基準情報を読み取らせることを特徴とするプログラム。
【発明の詳細な説明】
【技術分野】
【０００１】
本発明は、複数の動作モードで動作可能であり、動作中に複数種の動作状態データ（動作状態信号ともいう）を収集する監視対象システムから、動作状態データを読み出す技術に関する。
特に、エレベーターシステムを監視対象システムとし、エレベーターシステムから、動作モードごとに、特定の動作状態データを選択して読み出す技術に関する。
【背景技術】
【０００２】
ここでは、エレベーターシステムの動作状態データの管理について説明する。
【０００３】
エレベーターの運行状況を確認する目的で、エレベーターの通常運行時に、エレベーターの監視カメラ映像とエレベーターの動作状態データ（操作盤の操作状態、各種センサの検知状態等のエレベーター動作中のエレベーターの状態を示す信号）をハードディスクなどの不揮発性メモリに記録することが行われている。
例えばエレベーターに異常があった場合に、エレベーター保守員が、異常が発生した時間帯の監視カメラ映像とエレベーター動作状態信号を時系列に確認することで、映像と信号とエレベーターの映像からどのような異常が発生したのかをより詳細に理解することができる。
【０００４】
また、エレベーター保守員による保守作業の妥当性を詳細に検証するため、保守作業時のエレベーターの動作履歴と操作履歴を記録する保守作業評価手段がある（例えば、特許文献１）。
この保守作業評価手段は、保守員が所持する保守端末装置からの作業開始入力で起動し、作業終了入力で停止するタイマーを備える。
また、この保守作業評価手段は、外部回線を介し保守会社の保守情報データベースと情報を授受する通信手段を備える。
また、この保守作業評価手段は、予め記憶した保守作業で発生する作業予定動作と、保全作業時の昇降機制御装置から得る昇降機の動作履歴と、携帯端末からの入力情報から成る操作履歴とを自動的に記憶する記憶手段と、記憶手段の作業予定動作と動作履歴並びに操作履歴を照合する照合手段を備える。
そして、照合手段は、結果がすべて一致した場合タイマーの計測時間を作業完了情報の作業時間として保守作業データベースに登録し、結果が不一致の場合にタイマーをリセットし携帯端末に保守作業内容が不備である事を通知する。
【先行技術文献】
【特許文献】
【０００５】
【特許文献１】特開２００５−１５４１０６号公報
【発明の概要】
【発明が解決しようとする課題】
【０００６】
エレベーターシステムの各動作モードの性格は異なるため、動作モードごとに、記録しておくべき動作状態信号の種類は異なる。
例えば、エレベーターの通常運行モード時に記録しておくべき動作状態信号の種類と、昇降機の保全作業評価のために保守作業モード時に記録しておくべき動作状態信号の種類は自ずと異なる。
しかしながら、エレベーターシステムでは、動作モードによって収集する動作状態信号を区別しておらず全種類の動作状態信号が一律に収集されている。
このため、エレベーターシステム外から動作状態情報を取り出す際に、動作モードごとに特定の動作状態信号のみを選択して取り出すことはできず、エレベーターシステムで収集された全種類の動作状態信号を一括して取り出し、記録することになる。
このように、全種類の動作状態信号を取り出さなければならないため、記憶装置の記憶リソースや通信回線を無駄に使用してしまうという課題がある。
【０００７】
本発明では、このような課題を解決することを主な目的としており、監視対象システムにより収集された動作状態信号の中から、動作モードごとに記録すべき動作状態信号を選択し、選択した動作状態信号のみを読み出し、記憶装置の記憶リソースや通信回線の効率的な活用を可能にする構成を実現することを主な目的とする。
【課題を解決するための手段】
【０００８】
本発明に係るシステム監視装置は、
複数の動作モードで動作可能であり、動作中に複数種の動作状態信号を収集し、収集した前記複数種の動作状態信号を記憶する監視対象システムに接続され、
前記監視対象システムで記憶されている前記複数種の動作状態信号が収集された際の動作モードを判定するための判定基準が前記複数種の動作状態信号のうちの特定の照合対象動作状態信号と対応付けて示される判定基準情報と、前記複数種の動作状態信号のうち読出しの対象として選択される１つ以上の選択動作状態信号が動作モードごとに定義される信号定義情報とを記憶する情報記憶部と、
前記判定基準情報に基づき、前記監視対象システムから前記照合対象動作状態信号を読み出し、読み出した前記照合対象動作状態信号と前記判定基準とを照合して、前記複数種の動作状態信号が収集された際の動作モードを判定する動作モード判定部と、
前記信号定義情報に基づき、前記監視対象システムから、前記動作モード判定部により判定された動作モードに対して定義されている各選択動作状態信号を選択して読み出す動作状態選択読出し部とを有することを特徴とする。
【発明の効果】
【０００９】
本発明によれば、監視対象システムに記憶されている動作状態信号が収集された際の動作モードを判定し、判定した動作モードに対して定義されている読出しの対象の動作状態信号を選択して読み出すため、動作モードごとに必要な動作状態信号のみを選択して読み出すことができ、記憶装置の記憶リソースや通信回線の効率的な活用が可能になる。
【図面の簡単な説明】
【００１０】
【図１】実施の形態１に係る全体システムの構成例を示す図。
【図２】実施の形態１に係るエレベーターシステムの構成例を示す図。
【図３】実施の形態１に係るエレベーター監視システム及び監視記録装置の構成例を示す図。
【図４】実施の形態１に係るかご操作盤の例を示す図。
【図５】実施の形態１に係る乗り場操作盤の例を示す図。
【図６】実施の形態１に係る点検操作盤の例を示す図。
【図７】実施の形態１に係るモード定義テーブルの例を示す図。
【図８】実施の形態１に係るデータ出力定義テーブルの例を示す図。
【図９】実施の形態１に係る動作状態選択読出し部及び動作モード判定部の動作例を示すフローチャート図。
【図１０】実施の形態１に係る動作状態選択読出し部及び動作モード判定部の動作例を示すフローチャート図。
【図１１】実施の形態１に係る動作状態データ出力部の動作例を示すフローチャート図。
【図１２】実施の形態１に係る出力負荷調整部の動作例を示すフローチャート図。
【図１３】実施の形態１に係る出力データ形式の例を示す図。
【図１４】実施の形態１に係る監視記録装置の動作例を示すフローチャート図。
【図１５】実施の形態２に係る全体システムの構成例を示す図。
【図１６】実施の形態２に係るエレベーターシステムの構成例を示す図。
【図１７】実施の形態２に係るエレベーター監視システム、監視記録装置及び音声診断記録装置の構成例を示す図。
【図１８】実施の形態２に係るモード定義テーブルの例を示す図。
【図１９】実施の形態２に係る動作状態選択読出し部及び動作モード判定部の動作例を示すフローチャート図。
【図２０】実施の形態２に係る動作状態選択読出し部及び動作モード判定部の動作例を示すフローチャート図。
【図２１】実施の形態２に係る動作状態データ出力部の動作例を示すフローチャート図。
【図２２】実施の形態２に係る監視記録装置の動作例を示すフローチャート図。
【図２３】実施の形態２に係る音声診断記録装置の動作例を示すフローチャート図。
【図２４】実施の形態２に係る保守端末装置を含む全体システムの構成例を示す図。
【図２５】実施の形態１及び２に係るエレベーター監視装置のハードウェア構成例を示す図。
【発明を実施するための形態】
【００１１】
実施の形態１．
本実施の形態では、エレベーターシステムを監視するエレベーター監視装置について説明を行う。
図１は、本実施の形態に係るシステムの全体構成例を示す。
本実施の形態に係るエレベーター監視装置１０１は、エレベーターシステム１００に接続されている。
また、エレベーター監視装置１０１は、監視記録装置１０２にも接続されている。
エレベーターシステム１００は、複数の動作モードで動作可能であり、動作中に複数種の動作状態データ（動作状態信号ともいう）を収集し、収集した複数種の動作状態データを記憶する。
エレベーター監視装置１０１は、エレベーターシステム１００の動作モードに応じて動作状態データを選択してエレベーターシステム１００から読み出し、読み出した動作状態信号を監視記録装置１０２に出力し、監視記録装置１０２が動作状態データを記録する。
エレベーターシステム１００は、監視対象システムの例である。
また、エレベーター監視装置１０１は、システム監視装置の例である。
また、監視記録装置１０２は、記録装置の例である。
【００１２】
エレベーターシステム１００で収集される動作状態データは、エレベーターの動作状態を表すデータであり、具体的にはエレベーターを構成する操作盤の信号値、センサの信号値、スイッチの信号値、エレベーター制御のための内部状態（かご走行中／停止中、かご階床、走行方向、戸開／戸閉中、次停止階床、かご内インジケータ表示内容など）である。
エレベーターの動作モードには、通常運行を行っている通常運行モード、保守点検を行っている点検モードがある。
エレベーター監視装置１０１は、エレベーターシステム１００の動作モードごとに、動作状態データを切り換えて動作状態データを読み出す。
動作モードは、所定の動作状態データの値から判別する。
より具体的には、通常／点検スイッチという動作状態データが通常側のとき通常運行モード、点検側のとき点検モードと判断する。
エレベーター監視装置１０１は、通常運行モードでは、例えば、呼び登録ボタン、戸開閉ボタンなど利用者の操作、ドアセーフティスイッチ、戸開閉センサ、かご位置センサの各センサの信号値、かご走行中／停止中、かご階床、走行方向、戸開／戸閉中、次停止階のエレベーター制御のための内部状態を読み出す。
また点検モードでは、例えば、上スイッチ、下スイッチ、扉スイッチ、照明スイッチ、ファンスイッチ、自動／手動スイッチ、運転／休止スイッチ、通常／点検スイッチなど保守員の操作、戸開閉センサ、かご位置センサの各センサの信号値、かご内インジケータ表示内容のエレベーター制御のための内部状態を読み出す。
【００１３】
動作モード及び読み出す動作状態信号は一例であって、動作モード及び読み出す動作状態信号に、任意の信号値、内部状態を割り当ててよい。
その他の動作モードには、例えば、地震を検知した場合に、かご内インジケータに管制運転を行っていることを表示し、登録済みの呼び登録をキャンセルし、最寄階に停止し、戸開する地震時管制運転モードがある。
また、火災発生ボタンを押した場合に、かご内インジケータに管制運転を行っていることを表示し、登録済みの呼び登録をキャンセルし、避難階に停止し、戸開する火災時管制運転モードがある。
更に、ピットへの浸水を冠水検出装置が検知した場合に、エレベーターを休止させる冠水時管制運転モードなどがある。
これらの動作モードにおいても、エレベーター監視装置１０１は、動作モードごとに動作状態信号を選択して読み出す。
【００１４】
図２は、エレベーターシステム１００の構成例を示す図であり、図３は、エレベーター監視装置１０１及び監視記録装置１０２の構成例を示す図である。
【００１５】
エレベーターシステム１００は、エレベーター監視装置１０１と監視Ｉ／Ｆ１２２を介して接続される。
監視記録装置１０２は、エレベーター監視装置１０１と通信回線１２１を介して接続される。
監視記録装置１０２は、エレベーター監視装置１０１が読み出したエレベーターの動作状態信号を記録するとともに、監視カメラ１４５と映像信号線１５０を介して接続され、監視カメラ１４５の撮影した映像を記録する。
【００１６】
エレベーターシステム１００では、制御盤１０３から巻上げ機１０４を駆動して、ロープ１４９で吊ったかご１０５、釣合いおもり１０６を昇降させる。
また、制御盤１０３は、扉１０７を駆動して開閉させ、かご照明１４７を点灯／消灯させ、かご内の換気を行うファン１４８を運転／停止させる。
巻上げ機１０４、扉１０７は制御信号線１１６を介して制御盤１０３と接続する。
乗り場操作盤（１）１０８、乗り場操作盤（２）１０９、乗り場操作盤（３）１４６は、乗り場に設置してエレベーター利用者に呼び登録を行わせる操作盤である。
かご操作盤１１０は、かご１０５に設置してエレベーター利用者に呼び登録、戸開閉操作を行わせる操作盤である。
点検操作盤１１１は、エレベーター点検者にエレベーター点検のための必要な操作を行わせるスイッチ群である。
また、戸開閉センサ１１２は、扉１０７の開閉有無を検知するセンサ、ドアセーフティスイッチ１１３は扉１０７の戸閉動作を妨害の有無を検知するスイッチで戸閉動作による人や物の挟み込みを検知し、かご位置センサ１１４はかごの上下方向の移動におけるかご位置を検出するセンサである。
これらは操作・センサ信号線１１５を関して、制御盤１０３と接続する。
【００１７】
制御盤１０３では、操作・センサ信号入出力部１２０を介して接続する操作盤、センサ、スイッチの信号値を、エレベーター制御部１１７が動作状態記憶部１１８に動作状態データとして記憶する。
エレベーター制御部１１７は、動作状態データを用いて制御信号入出力部１１９を介して接続する巻上げ機１０４、扉１０７を制御する。
【００１８】
エレベーター監視装置１０１は、制御盤１０３の動作状態記憶部１１８の動作状態データを参照して、エレベーターシステム１００の正常動作を監視するともに、通信回線１２１を介して監視記録装置１０２に動作状態データを出力する。
【００１９】
動作状態選択読出し部１３０は、動作状態記憶部１１８の動作状態データのうち、監視データ定義記憶部１３２で定義した所定の動作状態データを選択して読み出す。
つまり、動作状態選択読出し部１３０は、後述の監視データ定義記憶部１３２に記憶されている定義情報（信号定義情報）に基づき、エレベーターシステム１００から、動作モード判定部１３１により判定された動作モードに対して定義されている動作状態データ（選択動作状態信号）を選択して読み出す。
より具体的には、動作状態選択読出し部１３０は、動作モード判定部１３１により判定された動作モードに対して監視データ定義記憶部１３２の定義情報に示されている読み出し対象の動作状態データのアドレスに従い、エレベーター監視装置１０１から動作状態データを選択して読み出す。
【００２０】
動作モード判定部１３１は、動作状態選択読出し部１３０に動作状態記憶部１１８から読み出させた動作状態データと監視データ定義記憶部１３２の定義情報から、制御盤１０３がエレベーターシステム１００をどのような状態で動作させているかを示す動作モードを判定する。
つまり、動作モード判定部１３１は、動作状態選択読出し部１３０を介して、動作状態記憶部１１８に記憶されている動作状態データのうち動作モードの判別に用いられる特定の動作状態データ（照合対象動作状態信号）を読み出し、読み出した動作状態データと監視データ定義記憶部１３２の定義情報（判定基準情報）とを照合して、対象としているレコードの複数の動作状態データがエレベーターシステム１００において収集された際の動作モードを判定する。
なお、監視データ定義記憶部１３２の定義情報には、動作モードの判別に用いられる特定の動作状態データが記憶されている動作状態記憶部１１８内のメモリアドレスが定義されており、動作モード判定部１３１は、この定義情報のメモリアドレスに従い、特定の動作状態データを読み出す。
【００２１】
エレベーターシステム１００の動作モードには、利用者の呼びで動作する通常運行モードとエレベーター保守員が点検を行う点検モードとがあり、動作モードは前記操作盤、センサ、スイッチの信号値、エレベーター制御部１１７の内部状態など、すなわち動作状態データの値によって決まる。
換言すれば、動作モード判定部１３１は、このような動作状態データを用いて、動作モードを判別する。
【００２２】
動作状態データ出力部１３３は、動作モードに応じて動作状態選択読出し部１３０が読み出した動作状態データを通信回線１２１に出力するとともに、出力負荷調整部１３４から得る監視記録装置１０２の負荷状態に応じて出力する動作状態データ量を減らす。
つまり、動作状態データ出力部１３３は、出力負荷調整部１３４が調整した出力信号量の範囲内で、動作状態選択読出し部１３０が読み出した動作状態データを通信回線１２１を通して監視記録装置１０２に出力する。
動作状態データ出力部１３３は、信号出力部の例である。
【００２３】
監視データ定義記憶部１３２は定義情報を記憶する。
定義情報としては、モード定義テーブルとデータ出力定義テーブルがある。
モード定義テーブルには、動作モードの判定のために読み出す動作状態データと動作モード判定部１３１が判定する動作モードの判定条件が定義されている。
データ出力定義テーブルには、動作モード判定部１３１により判定された動作モードに応じて、動作状態選択読出し部１３０が動作状態記憶部１１８から読み出す動作状態データが定義されている。
モード定義テーブルとデータ出力定義テーブルの詳細は後述する。
なお、監視データ定義記憶部１３２は、情報記憶部の例である。
【００２４】
出力負荷調整部１３４は、負荷監視部１４４から監視記録装置１０２の記録負荷状況を示す負荷情報を入力し、負荷情報に基づいて動作状態データ出力部１３３からの出力データ量を調整する。
【００２５】
監視記録装置１０２は、監視カメラ１４５が撮影した映像とともに、動作状態データを記録する。
【００２６】
監視記録装置１０２では、映像入力部１４２が監視カメラ１４５の映像信号を入力し、映像記録部１４３が映像を記録する。
また、動作状態入力部１４０がエレベーター監視装置１０１から動作状態データを入力し、動作状態記録部１４１が動作状態データを記録する。
動作状態記録部１４１、映像記録部１４３は、ＲＡＭ（Ｒａｎｄｏｍ  Ａｃｃｅｓｓ  Ｍｅｍｏｒｙ）、ＵＳＢ（Ｕｎｉｖｅｒｓａｌ  Ｓｅｒｉａｌ  Ｂｕｓ）メモリ、ＳＤ（登録商標）カード、フラッシュ・ソリッド・ステート・ドライブ、ハードディスク・ドライブなどの記憶媒体で構成する。
動作状態記録部１４１、映像記録部１４３に各データを記録する際に、所定時点の映像と動作状態を確認することができるよう、時刻情報を同時に記録することで、監視記録装置１０２に記録する。
負荷監視部１４４は、動作状態記録部１４１の記録動作を監視し、記録負荷を算出し、算出した記録負荷を示す負荷情報を通信回線１２１を介して、エレベーター監視装置１０１の出力負荷調整部１３４に送信する。
【００２７】
図４は、かご操作盤１１０の外観図である。
エレベーターシステム１００が３階床に停止する仕様の場合、かご操作盤１１０は、戸開ボタン２０１、戸閉ボタン２０２、呼び登録ボタン（１）２０３、呼び登録ボタン（２）２０４、呼び登録ボタン（３）２０５を含む。
これらのボタンは接点スイッチを内蔵しており、利用者の要求を操作・センサ信号線１１５を介して制御盤１０３に通知する。
戸開ボタン２０１は利用者が押すことでスイッチがＯＮになり、制御盤１０３に扉を開ける要求を通知する。
戸閉ボタン２０２は利用者が押すことでスイッチがＯＮになり、制御盤１０３に扉を閉める要求を通知する。
各呼び登録ボタンは呼び登録ボタンの示す階床への呼び登録要求を受け付け、利用者がボタンを押すことでスイッチがＯＮになり、制御盤１０３に対応した要求を通知する。
このように３階床に停止する仕様の場合、呼び登録ボタンは３つであるが、停止階床数に応じて呼び登録ボタンの数も変わる。
【００２８】
図５は、乗り場操作盤（１）１０８、乗り場操作盤（２）１０９、乗り場操作盤（３）１４６の外観図である。
エレベーターシステム１００が３階床に停止する仕様の場合、乗り場操作盤は各階床にひととづつで、３箇所に設置する。
乗り場操作盤（１）１０８は、１階に設置し、上方向呼び登録ボタン３０１を備える。
乗り場操作盤（２）１０９は２階に設置し、上方向呼び登録ボタン３０１と下方向呼び登録ボタン３０２とを備える。
乗り場操作盤（３）１４６は３階に設置し、下方向呼び登録ボタン３０２を備える。
上方向呼び登録ボタン３０１、下方向呼び登録ボタン３０２は、接点スイッチを内蔵しており、利用者の要求を操作・センサ信号線１１５を介して制御盤１０３に通知する。
上方向呼び登録ボタン３０１は上方向への乗り場呼び登録要求を、下方向呼び登録ボタン３０２は下方向への乗り場呼び登録要求を、それぞれ受け付け、利用者がボタンを押すことでスイッチがＯＮになり、制御盤１０３に対応した要求を通知する。
このように乗り場操作盤は各階床の乗り場に設置するもので、３階床に停止する場合、乗り場操作盤は３箇所に設置して、最下階は上方向のみ呼び登録可能、中間階は上下方向の呼び登録可能、最上階は下方向のみ呼び登録可能の乗り場操作盤をそれぞれ設置する。
階床数が増減する場合、中間階用の操作盤の設置数を変える。
【００２９】
図６は、点検操作盤１１１の外観図である。
点検操作盤１１１は、エレベーター保守員による点検やエレベーター管理者による維持運行管理に使用するもので、通常は錠付きのスイッチカバーで覆い、エレベーター利用者が操作できないようにかご内に設置する。
これらのスイッチは接点スイッチを内蔵しており、操作者の要求を操作・センサ信号線１１５を介して制御盤１０３に通知する。
上スイッチ４０１、下スイッチ４０２は保守員が点検を行う際にかごを上下させるスイッチ、通過ボタン４０３は乗り場呼びに応答せずに通過させるスイッチで、それぞれスイッチ押下でＯＮとなる。
上スイッチ４０１、下スイッチ４０２は、自動／手動スイッチ４０７が手動のときに有効となる。
扉スイッチ４０４は、スイッチが扉位置で戸開閉制御を有効にさせ、切位置で戸開閉制御を無効にさせる。
照明スイッチ４０５は、スイッチが照明位置でかご照明１４７を点灯させ、切位置でかご照明１４７を消灯させる。
ファンスイッチ４０６は、スイッチがファン位置でファン１４８を運転、切位置で停止させる。
自動／手動スイッチ４０７は、自動位置で自動運転、手動位置で手動運転にさせる。
運転／休止スイッチ４０６は、運転位置でエレベーターシステム１００を運転、休止位置で休止させる。
通常／点検スイッチ４０７は、通常位置でエレベーターシステム１００を通常運行モード、点検位置で点検モードとさせる。
これら各スイッチはトグルスイッチである。
【００３０】
エレベーターシステム１００の保守点検を行う場合、保守員は通常／点検スイッチ４０９を点検位置にして点検モードにさせ、自動／手動スイッチ４０７を手動位置にして手動運転にさせ、照明スイッチ４０５を切位置にしてかご照明１４７を消灯させ、点検を開始する。
扉１０７の点検は、上スイッチ４０１、下スイッチ４０２を操作してかご位置を調整、運転／休止スイッチ４０８を切位置にしてエレベーターシステム１００を休止させ、扉スイッチ４０４を切位置にして戸開閉制御を無効にさせ、扉１０７を手動で開閉して行う。
また、扉１０７の点検が終了の際には、扉スイッチ４０４を扉位置にして戸開閉制御を有効にさせ、運転／休止スイッチ４０８を運転位置にしてエレベーターシステム１００を運転させる。
またかご上、ピットの点検の際も、保守員は上スイッチ４０１、下スイッチ４０２を操作してかご位置を調整して、かご上（かごの天井部の上）、ピット（かごが移動する昇降路の最下部）、昇降路天井に移動して点検を行う。
保守点検を終了する際は、照明スイッチ４０５を照明位置にしてかご照明１４７を点灯させ、自動／手動スイッチ４０７を自動位置にして自動運転にさせ、通常／点検スイッチ４０９を通常位置にして通常運行モードにさせる。
【００３１】
図７はモード定義テーブル５０１の例を示す。
また、図８はデータ出力定義テーブル６０１の例を示す。
前述のように、モード定義テーブル５０１およびデータ出力定義テーブル６０１は、監視データ定義記憶部１３２で記憶されている。
【００３２】
モード定義テーブル５０１は、動作状態選択読出し部１３０が動作状態記憶部１１８から動作モード判定のために読み出す動作状態データ（照合対象動作状態信号）と動作モード判定部１３１が判定するエレベーターシステム１００の動作モードの判定条件を規定する。
モード定義テーブル５０１は、モード優先順位５０２、入力動作状態データ名５０３、入力動作状態データアドレス５０４、条件５０５、条件値５０６、モード名５０７、モード番号５０８を含む。
モード優先順位５０２は、モード定義テーブル５０１における同モードの選択の優先順位を、１から始まる数値で示し、数値の低いモードが優先順位が高い。
入力動作状態データ名５０３は、動作モードの判定のために動作状態記憶部１１８から読み出す動作状態データ（照合対象動作状態信号）との名称を示す。
入力動作状態データアドレス５０４は、動作モードの判定のために読み出す動作状態データを記憶している動作状態記憶部１１８でのアドレスを示す。
入力動作状態データアドレス５０４は、動作状態記憶部１１８が例えば所定の複数個の動作状態データを１レコードとして管理している場合には、動作モードの判定のために読み出す動作状態データがレコード中のどの列に格納されているかを表すアドレス（例えばレコード先頭からのオフセット値）である。
条件５０５は、条件値５０６と合わせて、動作モードを判定する条件を示し、入力動作状態データアドレス５０４が示す動作状態データ値との比較に用いる。
条件５０５は等号、不等号などの符号を、条件値５０６は条件５０５により動作状態データと比較する値を示す。
モード名５０７はモードの名称、モード番号５０８はモードの番号を示す。
【００３３】
本実施の形態では、モード定義テーブル５０１に、動作モードとして、通常運行モードと点検モードを設定する。
通常運行モードを判別するためのレコードでは、入力動作状態データ名５０３に「通常／点検スイッチ」の動作状態データ、入力動作状態データアドレス５０４に「通常／点検スイッチ」の動作状態データが格納されているアドレス、条件５０５に「１（通常側を示す）」、条件値５０６に「等しい」、モード名５０７に「通常運行モード」、モード番号５０８に「１（通常運行モードを示す）」と設定する。
また、点検モードを判別するためのレコードでは、入力動作状態データ名５０３に「通常／点検スイッチ」の動作状態データ、入力動作状態データアドレス５０４に「通常／点検スイッチ」の動作状態データが格納されているアドレス、条件５０５に「０（点検側を示す）」、条件値５０６に「等しい」、モード名５０７に「点検運行モード」、モード番号５０８に「２（点検運行モードを示す）」と設定する。
モード優先順位５０２は通常運行モードが１、点検モードが２と設定する。定義するモードは、３つ以上あってもかまわない。
つまり、これから読み出そうとする動作状態記憶部１１８のレコードがいずれの動作モードの際に収集されたものであるかを判定するために、動作状態選択読出し部１３０は、まず、入力動作状態データアドレス５０４に示されているアドレスに格納されている動作状態データを読み出す。
【００３４】
図５の例では、動作状態選択読出し部１３０は「通常／点検スイッチ」の動作状態データを読み出し、動作モード判定部１３１が動作状態選択読出し部１３０により読み出された「通常／点検スイッチ」の動作状態データの値が１と等しいか、０と等しいかを判断し、１と等しい場合は、これから読み出そうとしているレコードの動作状態データが収集された際の動作モードが「通常運行モード」であると判別することができる。
一方、０と等しい場合は、これから読み出そうとしているレコードの動作状態データが収集された際の動作モードが「点検運行モード」であると判別することができる。
このように、モード定義テーブル５０１は、これから読み出そうとしているレコードの動作状態データが収集された際の動作モードを判定するための判定基準が複数種の動作状態データのうちの特定の動作状態データ（照合対象動作状態信号）（図５の例では「通常／点検スイッチ」）と対応付けて示される。
モード定義テーブル５０１は判定基準情報の例である。
【００３５】
データ出力定義テーブル６０１は、エレベーターシステム１００の動作モードに応じて、動作状態選択読出し部１３０が動作状態記憶部１１８から読み出すデータと動作状態データ出力部１３３が出力する動作状態データを規定する。
データ出力定義テーブル６０１は、出力優先順位６０２、モード番号５０３、出力動作状態データ名６０４、出力動作状態データアドレス６０５を含む。
出力優先順位６０２は、データ出力定義テーブル６０１における出力動作状態データの優先順位を、１から始まる数値で示し、数値の低い動作状態データが優先順位が高い。
モード番号６０３はモードの番号を示し、出力動作状態データ名６０４はモードに応じて出力する動作状態データの名称を示し、出力動作状態データアドレス６０５は出力動作状態データ名６０４に示される出力動作状態データを記憶している動作状態記憶部１１８でのアドレスを示す。
なお、出力動作状態データアドレス６０５は、入力動作状態データアドレス５０４と同様に、動作状態記憶部１１８が例えば所定の複数個の動作状態データを１レコードとして管理している場合には、各出力動作状態データがレコード中のどの列に格納されているかを表すアドレス（例えばレコード先頭からのオフセット値）である。
【００３６】
本実施の形態では、データ出力定義テーブル６０１に、通常運行モードの際に出力する動作状態データとして、呼び登録ボタン、戸開閉ボタン、ドアセーフティスイッチ、戸開閉センサ、かご位置センサ、かご走行中／停止中、かご階床、走行方向、戸開／戸閉中、次停止階のそれぞれの動作状態データを出力動作状態データ名６０４に設定し、また、これらの出力動作状態データが格納されているアドレスを出力動作状態データアドレス６０５に設定する。
また、モード番号６０３の値に「１（通常運行モードを示す）」を設定する。
また、点検モードの際に出力する動作状態データとして、上スイッチ、下スイッチ、扉スイッチ、照明スイッチ、ファンスイッチ、自動／手動スイッチ、運転／休止スイッチ、通常／点検スイッチ、戸開閉センサ、かご位置センサ、かご内インジケータ表示内容のそれぞれの動作状態データを出力動作状態データ名６０４に設定し、また、これらの出力動作状態データが格納されているアドレスを出力動作状態データアドレス６０５に設定する。
また、モード番号６０３の値に「２（点検運行モードを示す）」を設定する。
【００３７】
例えば、動作モード判定部１３１により通常運行モードと判定された場合は、動作状態選択読出し部１３０は、読み出そうとしている動作状態記憶部１１８のレコードから、出力動作状態データアドレス６０５に従って、呼び登録ボタン、戸開閉ボタン、ドアセーフティスイッチ、戸開閉センサ、かご位置センサ、かご走行中／停止中、かご階床、走行方向、戸開／戸閉中、次停止階のそれぞれの動作状態データを読み出す。
また、動作モード判定部１３１により点検運行モードと判定された場合は、動作状態選択読出し部１３０は、読み出そうとしている動作状態記憶部１１８のレコードから、上スイッチ、下スイッチ、扉スイッチ、照明スイッチ、ファンスイッチ、自動／手動スイッチ、運転／休止スイッチ、通常／点検スイッチ、戸開閉センサ、かご位置センサ、かご内インジケータ表示内容のそれぞれの動作状態データを読み出す。
このように、データ出力定義テーブル６０１は、動作モードごとに、複数種の動作状態データのうち読出しの対象として選択される１つ以上の出力動作状態データ（選択動作状態信号）を定義している。
データ出力定義テーブル６０１は、信号定義情報の例である。
【００３８】
図９及び図１０は、動作状態選択読出し部１３０及び動作モード判定部１３１の動作を示すフローチャートである。
【００３９】
動作状態選択読出し部１３０は、ステップＳ７０１で規定時間（この時間は動作状態データ出力部１３３が動作状態データを出力する間隔を決定する）待つ。
ステップＳ７０２からステップＳ７０９まではエレベーター動作モードを決定するステップである。
動作モード判定部１３１は、ステップＳ７０２でモード定義テーブル５０１において処理するレコードを示すモード優先順位変数に１をセットする。
ステップＳ７０３で、動作モード判定部１３１が、モード定義テーブル５０１から、モード優先順位５０２がモード優先順位変数と等しいレコードを読み取る（情報読み取りステップ）。
次に、動作状態選択読出し部１３０が、ステップＳ７０４で、動作状態記憶部１１８から、Ｓ７０３で読み取られたレコードの入力動作状態データアドレス５０４に示されるアドレスに格納されている動作状態データを読み出す（動作モード判定ステップ）。
次に、動作モード判定部１３１が、ステップＳ７０５で、Ｓ７０４で読み出された動作状態データを条件５０５と条件値５０６により評価する（動作モード判定ステップ）。
ステップＳ７０６（動作モード判定ステップ）で条件が成立しない場合、動作モード判定部１３１は、ステップＳ７０７でモード優先順位変数をインクリメントする。
そして、ステップＳ７０８で、動作モード判定部１３１は、モード定義テーブル５０１の全レコードのチェックが完了したか判断し、全レコードのチェックが完了している場合は、Ｓ７０４で読み出された動作状態データが規定の条件を満たしていないことになり、ステップＳ７０１に戻る。
また全レコードのチェックが完了していない場合は、動作モード判定部１３１は、ステップＳ７０３に戻り、モード定義テーブル５０１の次のレコードを処理する。
一方、ステップＳ７０６で条件が成立した場合、ステップＳ７０９で、動作モード判定部１３１が、処理対象レコード（Ｓ７０３で読み取ったレコード）のモード番号５０８の値を、エレベーター動作モードとして決定し、エレベーター動作モード変数にセットする（動作モード判定ステップ）。
【００４０】
ステップＳ７１０からステップＳ７１９までは、動作状態データ出力部１３３が出力する動作状態データを設定するステップである。
動作状態選択読出し部１３０は、ステップＳ７１０で、動作状態データ出力部１３３に出力する動作状態データの設定開始を意味するデータ開始を通知する。
次に、動作状態選択読出し部１３０は、ステップＳ７１１で、動作状態データ出力部１３３にエレベーター動作モード変数の値を通知する。
次に、エレベーター動作状態選択読出し部１３０は、ステップＳ７１２で、データ出力定義テーブル６０１において処理するレコードを示す出力優先順位変数に１をセットする。
次に、エレベーター動作状態選択読出し部１３０は、ステップＳ７１３で、データ出力定義テーブル６０１から出力優先順位６０２が出力優先順位変数と等しいレコードを読み取る（情報読取りステップ）。
次に、エレベーター動作状態選択読出し部１３０は、ステップＳ７１４で、Ｓ７０９でセットされたエレベーター動作モード変数がＳ７１３で読み取ったレコードのモード番号６０３と等しいか、即ち、動作モード判定部１３１が判別した動作モードにおける出力対象の動作状態データがＳ７１３で読み取ったレコードの出力動作状態データ名６０４に示される動作状態データであるかを判定する。
Ｓ７０９において等しいと判断した場合に、エレベーター動作状態選択読出し部１３０は、ステップＳ７１５で、Ｓ７１３で読み取ったレコードの出力動作状態データアドレス６０５に示されるアドレスに格納されている動作状態データを動作状態記憶部１１８から読み出す（動作状態選択読み出しステップ）。
次に、エレベーター動作状態選択読出し部１３０は、ステップＳ７１６で、動作状態データ出力部１３３に読み出した出力動作状態データを通知する。
次に、エレベーター動作状態選択読出し部１３０は、ステップＳ７１７で出力優先順位変数をインクリメントして対象を次のレコードに移し、Ｓ７１８でデータ出力定義テーブル６０１の全レコードを処理完了したかをチェックし、そうでない場合にステップＳ７１３に戻り次のレコードを処理する。
全レコードの処理が完了した場合は、エレベーター動作状態選択読出し部１３０は、ステップＳ７１９において動作状態データ出力部１３３に動作状態データの設定開始を意味するデータ終了を通知する。
【００４１】
図１１は、動作状態データ出力部１３３の動作を示すフローチャートである。
【００４２】
動作状態データ出力部１３３は、このフローにおいて、動作状態選択読出し部１３０が動作状態データ出力部１３３に通知した動作状態データをバッファリングし、通信回線１２１に出力するとともに、監視記録装置１０２の負荷が高い場合に出力するデータを間引く処理を行う。
データ間引きの処理のため動作状態データ出力部１３３は、最大データサイズ変数をもち、出力データが最大データサイズ変数を超えないように制御し、また最大データサイズ変数を監視記録装置１０２の負荷に合わせて増減させる。
【００４３】
動作状態データ出力部１３３は、ステップＳ８０１で、出力データサイズのカウントを行うため出力データサイズ変数に０を設定する。
次に、動作状態データ出力部１３３は、ステップＳ８０２において、動作状態選択読出し部１３０からのデータ開始通知待ちとなる。
次に、動作状態データ出力部１３３は、データ開始通知を受信したら、ステップＳ８０３で、エレベーター動作モードを受信する。
次に、動作状態データ出力部１３３は、ステップＳ８０４で、エレベーター動作モードをバッファに追加する。
次に、動作状態データ出力部１３３は、ステップＳ８０５で、出力データサイズ変数をエレベーター動作モードのデータサイズ分インクリメントする。
次に、動作状態データ出力部１３３は、ステップＳ８０６で、次のデータを受信する。
次に、動作状態データ出力部１３３は、ステップＳ８０７で、受信データがデータ終了通知でない場合はステップＳ８０８で出力データサイズ変数にステップＳ８０６で受信したデータサイズとを加えたものが、最大データ変数未満である場合、負荷から送信可能であると判定して、ステップＳ８０９で受信データをバッファに追加する。
次に、ステップＳ８１０で出力データサイズ変数を受信データサイズ分インクリメントして、ステップＳ８０６に戻り、次のデータの受信待ちをする。
また、ステップＳ８０７で受信データがデータ終了通知である場合、またはステップＳ８０８で負荷から送信不可能になると判断した場合に、動作状態データ出力部１３３は、ステップＳ８１１で出力データサイズ変数の値を通信回線１２１に送信する。
次に、動作状態データ出力部１３３は、ステップＳ８１２で、バッファした全データを通信回線１２１に送信して、ステップＳ８０１に戻る。
【００４４】
図１２は、出力負荷調整部１３４の動作を示すフローチャートである。
【００４５】
出力負荷調整部１３４は、ステップＳ９０１で、通信回線１２１を介して監視記録装置１０２の負荷監視部１４４から負荷情報（正負の整数値）を受信する。
次に、出力負荷調整部１３４は、ステップＳ９０２で、動作状態データ出力部１３３の最大出力データサイズ変数を負荷情報で加算する。
【００４６】
図１３は、動作状態データ出力部１３３の出力データ形式を示す。
【００４７】
出力データ形式１００１は、先頭に出力データのサイズを示すデータ長１００２、次に出力データがどのエレベーター動作モードの動作状態データであるのかを示すモード番号１００３、次に動作状態データがデータ（１）１００４、データ（２）１００５、データ（３）１００６と以降繰り返されて構成される。
【００４８】
図１４は、監視記録装置１０２の動作状態入力部１４０、動作状態記録部１４１、負荷監視部１４４の動作を示すフローチャートである。
【００４９】
ステップＳ１１０１で、動作状態入力部１４０はデータ長１００２を受信し、ステップＳ１１０２でデータ長１００２の分だけデータを読み込み、ステップＳ１１０３で動作状態記録部１４１にデータを書き込む。
ステップＳ１１０４で、負荷監視部１４４はデータ長１００２の受信間隔を示す受信間隔カウンタ変数（受信間隔カウンタ変数は自動的にインクリメントするカウンタである）をリセットし、次のデータ長１００２の受信待ちとなる。
ステップＳ１１０５で、データ長１００２を受信したら、負荷監視部１４４はステップＳ１１０６で受信間隔カウンタ変数から負荷情報を算出し、ステップＳ１１０７で算出した負荷情報を通信回線１２１を介して、エレベーター監視装置１０１の出力負荷調整部１３４に送信する。
負荷情報の算出は、受信間隔カウンタ変数が所定の高負荷判定しきい値以下であれば、ステップＳ１１０３の処理終了後に次のデータの処理までに十分な時間間隔がないことから負荷が高いと判断して、負荷情報が所定の負荷情報値を負の値であると決定する。
また、受信間隔カウンタ変数が所定の低負荷判定しきい値以上であれば、ステップＳ１１０３の処理終了後に次のデータの処理までに十分な時間間隔があることから負荷が低いと判断して、負荷情報が所定の負荷情報値を先とは逆に正の値として決定する。
高負荷判定しきい値、低負荷判定しきい値、負荷情報値は、システムに合わせて決定する。
【００５０】
ステップＳ１１０３で動作状態記録部１４１にデータを書き込む際にタイムスタンプを付加することもできる。
映像入力部１４２は監視カメラ１４５の映像信号を入力し、映像記録部１４３が映像を記録する際に、同じくタイムスタンプを付加すれば、動作状態記録部１４１と映像記録部１４３とを時間軸を合わせて時系列に表示することができる。
【００５１】
以上、本実施の形態では、
エレベーターの動作状態信号を記録するエレベーター監視装置において、動作状態信号が条件を満たした場合に決定するエレベーター動作モードに応じて、動作状態信号を選択的に記録するエレベーター監視装置を説明した。
より具体的には、以下の要素を備えるエレベーター監視装置を説明した。
動作モード判定部：動作状態信号により動作モードを判定する。
動作状態選択読出し部：動作モードの決定条件及び判定した動作モードに応じてエレベーター制御盤から動作状態信号を選択的に読み出す。
動作状態データ出力部：選択した動作状態データを監視記録装置に出力する。
【００５２】
また、本実施の形態に係るエレベーター監視装置の動作モード判定部は、動作モードを、動作状態信号のうち通常／点検スイッチが通常側の場合に通常運行モード、点検側の時に点検モードと判定することを説明した。
【００５３】
また、本実施の形態では、監視記録装置の記録負荷に応じて監視記録装置に送信する動作状態信号の数を増減させるエレベーター監視装置を説明した。
より具体的には、以下の要素を備えるエレベーター監視装置を説明した。
出力負荷調整部：監視記録装置の記録負荷に応じて最大送信データサイズ決定する。
負荷監視部：監視記録装置の記録負荷を監視する。
【００５４】
実施の形態２．
本実施の形態のエレベーター監視装置は、エレベーターの動作モードに応じて動作状態とエレベーターに設置したマイクから入力してデジタル化した音声を記録する。
エレベーターの動作モードには、通常運行を行っている通常運行モード、診断運転を行っている診断運転モードがある。
動作モードは、所定の動作状態データの値から判別する。
より具体的には、通常／点検スイッチが通常側のとき通常運行モードと判断し、エレベーター制御のための内部状態のひとつである診断運転フラグが真のとき診断運転モードと判断する。
通常運行モードでは、呼び登録ボタン、戸開閉ボタンなど利用者の操作、ドアセーフティスイッチ、戸開閉センサ、かご位置センサの各センサの信号値、かご走行中／停止中、かご階床、走行方向、戸開／戸閉中、次停止階のエレベーター制御のための内部状態を記録する。
また、診断運転モードでは、音声データを記録する。
なお、動作モード及び記録する動作状態信号は一例であって、動作モード及び記録する動作状態信号に、任意の信号値、内部状態を割り当ててよい。
【００５５】
エレベーターの診断運転は、例えば、エレベーターを走行・戸開閉などを行うと同時にエレベーターに搭載したセンサを使用して期待した動作となっているかを自動的に診断する。
診断運転の実行は、乗客がいない時に行い、例えば夜間定期的にスケジューリングして自動的に、あるいは保守員が保守用端末装置を接続して実行を指令して、行う。
【００５６】
本実施の形態のエレベーター監視装置はエレベーター診断運転中の音声を録音する。
録音した音声は、保守員や音声診断装置が異常音診断を行う。
前記診断運転と異常音診断を組み合わせることで、異常検出の正確性を高める。
このため、診断運転の時だけ音声を録音することにより、通常運行中の乗客の会話音声や歩行音などを録音せず、乗客のプライバシー保護を実現するとともに、機械音異常音診断に不要な音の排除を実現する。
【００５７】
以下では、図面を参照して、本実施の形態に係るエレベーター監視装置を説明するが、主に、実施の形態１に対する差分について説明する。
【００５８】
図１５は、本実施の形態に係るシステムの全体構成例を示す。
実施の形態１の図１と比較して、エレベーター監視装置１２０１は、音声診断記録装置１２０３と接続されている。
本実施の形態では、音声診断記録装置１２０３も記録装置の例となる。
【００５９】
図１６は本実施の形態に係るエレベーターシステム１００の構成例を示し、図１７は本実施の形態に係るエレベーター監視装置１２０１、監視記録装置１２０２及び音声診断記録装置１２０３の構成例を示す。
【００６０】
実施の形態１と異なり、エレベーターシステム１００の動作状態データと監視カメラ１４５の映像を監視記録装置１０２に記録するのではなく、動作状態データを監視記録装置１２０２に、マイク１２５２の音声をデータとして音声診断記録装置１２０３にと、それぞれ異なる装置に記録する。
また、本実施の形態では、エレベーター動作モードに応じて、動作状態データ出力部１３３が監視記録装置１０２に出力する動作状態データを切り換えることに加えて、動作状態データ出力部１２１３が動作状態データと音声データとを監視記録装置１２０２と音声診断記録装置１２０３に出力先を切り換えながら出力する。
【００６１】
また、本実施の形態のエレベーターシステム１００では、エレベーターシステム１００が所定の時間帯に正常動作できるかどうかを自動的に点検する診断運転を行う。
診断運転は、エレベーターシステム１００の制御盤１０３から巻上げ機１０４を駆動して、ロープ１４９で吊ったかご１０５、釣合いおもり１０６を昇降させ、また制御盤１０３は扉１０７を駆動して開閉し、制御盤１０３がかご１０５の位置が期待した位置にあるか、扉１０７の戸が期待した開閉状態であるかを判定して、期待通りの動作でない場合、異常判定を行う。
このような診断運転を実行する動作モードを診断運転モードと呼び、エレベーター制御部１１７は、動作状態記憶部１１８に診断運転実行中か否かを示す診断運転フラグ（エレベーターシステム１００が診断運転コマンドを受信したことを示すフラグ）を書き込む。
診断運転モードでは、後述するように、診断運転中の音をマイク１２５２により集音し、集音結果を動作状態データとともに記録する。
診断運転モードは、集音対象モードの例である。
【００６２】
エレベーターシステム１００に設置したマイク１２５２は、音声信号線１２５３を介して、エレベーター監視装置１２０１のアナログデジタル変換部１２１４に音声データを出力する。
そして、アナログデジタル変換部１２１４は、アナログデータである音声データをデジタルデータに変換して、音声一時記憶部１２１５に蓄積する。
音声一時記憶部１２１５は、サイクリック型のメモリで構成しており、アナログデジタル変換部１２１４が連続的に出力するデジタル化した音声データを古いデータからアドレスを変えながら順に記録して、全てのメモリ領域にを書き込んだら、一番古いデータから順に上書きしていく特性を持つ。
音声一時記憶部１２１５は、音声データ記憶装置の例である。
【００６３】
監視記録装置１２０２は、エレベーター監視装置１２０１と通信回線１２０４を介して接続し、動作状態データ出力部１２１３が出力した動作状態データを、動作状態入力部１２２０から入力し、動作状態記録部１２２１に記録する。
【００６４】
音声診断記録装置１２０３は、エレベーター監視装置１２０１と通信回線１２０４を介して接続し、動作状態データ出力部１２１３が出力した音声データを、音声データ入力部１２３０から入力し、音声診断記録部１２３１に記録する。
音声診断記録部１２３１は、エレベーターシステム１００から収集した音声データを記録、診断する。
本実施の形態のエレベーター監視装置の音声データの診断とは、先に示した診断運転の際に収集した音声データの音圧のピーク値が基準値を超えるか否かを判定することであり、基準値を超える場合をエレベーターシステム１００内で部位間（例えばかご１０５とロープ１４９など）の接触がある可能性から異常と診断し、そうでない場合を正常と診断する。
【００６５】
図１８は、本実施の形態に係るモード定義テーブル１３０１を示す。
監視データ定義記憶部１２１２は、図１８のモード定義テーブル１３０１および図８データ出力定義テーブル６０１を記憶している。
【００６６】
モード定義テーブル１３０１は、モード定義テーブル５０１の規定（動作状態選択読出し部１３０が動作状態記憶部１１８から読み出すデータと動作モード判定部１３１が判定するエレベーターシステム１００の動作モードの判定条件を規定する）に加えて、動作モードに応じたデータの出力先を規定する。
出力先１３０２はこの出力先を示す。
出力先としては、図１５の構成の場合は監視記録装置１２０２又は音声診断記録装置１２０３が規定される。
【００６７】
図１９及び図２０は、本実施の形態に係る動作状態選択読出し部１２１０と動作モード判定部１２１１の動作例を示すフローチャートである。
【００６８】
図１９では、ステップＳ７０２からステップＳ７０９までのエレベーター動作モードを決定するステップに、ステップＳ１５０１のデータの出力先を決定するステップを追加する。
【００６９】
ステップＳ７０９が完了すると、動作モード判定部１２１１が、ステップＳ１５０１で処理対象レコードの出力先１３０２の出力先（本実施の形態では監視記録装置１２０２か音声診断記録装置１２０３のいずれかである）を、データ出力先変数にセットする。
【００７０】
また、図２０において、ステップＳ７１０からステップＳ７１９までの動作状態データ出力部１２１３が出力する動作状態データを設定するステップに、ステップＳ１５０２の動作状態データ出力部１２１３にデータ出力先を通知するステップを追加し、ステップＳ７１５をステップＳ１５０３に置き換える。
【００７１】
ステップＳ７１０が完了すると、動作状態選択読出し部１２１０は、ステップＳ１５０２で、動作状態データ出力部１３３にデータ出力先変数の値を通知する。
また、ステップＳ７１４でＹＥＳの場合、動作状態選択読出し部１２１０は、ステップＳ１５０３で、同レコードの出力動作状態データ名６０４が出力動作状態を示すものであれば出力動作状態データアドレス６０５の動作状態データを読み出し、また出力動作状態データ名６０４が音声データであれば音声一時記憶部１２１５からデータを読出す。
【００７２】
図２１は、動作状態データ出力部１２１３のフローチャートである。
【００７３】
動作状態データ出力部１２１３は、このフローにおいて、動作状態選択読出し部１２１０が動作状態データ出力部１２１３に通知した動作状態データ及び音声データをバッファリングし、通信回線１２０４から監視記録装置１２０２か音声診断記録装置１２０３のいずれかに出力する。
ステップＳ８０１からステップＳ８１２のステップにステップＳ１６０１のデータ出力先を受信するステップを追加し、ステップＳ８１１とステップＳ８１２をそれぞれデータを出力先に対して出力するステップＳ１６０２とステップＳ１６０３に置き換える。
【００７４】
ステップＳ８０２が完了すると、動作状態データ出力部１２１３は、ステップＳ１６０１で、動作状態選択読出し部１２１０からデータ出力先を受信してデータ出力先変数に格納する。
また、ステップＳ８０７又はステップＳ８０８でＹＥＳの場合、動作状態データ出力部１２１３は、ステップＳ１６０２で、出力データサイズ変数の値を通信回線１２０４を通じてデータ出力先変数の示すデータ出力先に送信し、ステップＳ１６０３でバッファした全データを通信回線１２０４を通じてデータ出力先変数の示すデータ出力先に送信する。
【００７５】
図２２は、監視記録装置１２０２の動作状態入力部１２２０と動作状態記録部１２２１の動作例を示すフローチャートである。
【００７６】
ステップＳ１７０１で、動作状態入力部１２２０がデータ長１００２を受信し、ステップＳ１７０２でデータ長１００２の分だけデータを読み込み、ステップＳ１７０３で動作状態記録部１２２１にデータを書き込む。
【００７７】
図２３は、音声診断記録装置１２０３の音声データ入力部１２３０と音声診断記録部１２３１の動作例を示すフローチャートである。
【００７８】
ステップＳ１８０１で、音声データ入力部１２３０がデータ長１００２を受信し、ステップＳ１８０２でデータ長１００２の分だけデータを読み込み、ステップＳ１８０３で音声診断記録部１２３１にデータを書き込む。
【００７９】
図２４は、エレベーターの動作状態データを保守端末装置から変更する場合のシステム構成図である。
【００８０】
エレベーターシステム１００とエレベーター監視装置１２０１は監視Ｉ／Ｆ１２２を介して接続し、エレベーター監視装置１２０１は、マイク１２５２と音声信号線１２５３と接続し、通信回線１２０４を介して監視記録装置１２０２および音声診断記録装置１２０３と接続する。
また、エレベーターシステム１００は操作・センサ信号線１１５を介して保守端末装置１３００を接続する。
【００８１】
保守端末装置１３００は、エレベーター保守員が使用してエレベーター保守を行う端末装置で、ＰＣ（Ｐｅｒｓｏｎａｌ  Ｃｏｍｐｕｔｅｒ）やＰＤＡ（登録商標）（Ｐｅｒｓｏｎａｌ  Ｄｉｇｉｔａｌ  Ａｓｓｉｓｔａｎｔ）（登録商標）、携帯電話、専用ハードウェアに保守端末用アプリケーションを搭載して構成する。
保守端末装置１３００からエレベーターシステム１００に診断運転開始信号（診断運転コマンド）を送ることで、エレベーター制御部１１７は診断運転を開始し、エレベーター動作状態記憶部１１８の診断運転フラグが真になる。
また、図１５〜図１７において、監視記録装置１２０２と音声診断記録装置１２０３は、エレベーターシステム１００がある建物内に設置してもよいし、エレベーター監視センターなど遠隔地に設置してもよい。
【００８２】
また、保守端末装置１３００の操作内容（保守端末用アプリケーションの起動／終了、入力データ、メニュー選択など）を操作・センサ信号線１１５を介してエレベーター制御盤１０３に送ることにより、エレベーター制御部１１７が動作状態記憶部１１８に操作内容を記録するようにしてもよい。
この時、保守端末装置１３００の操作内容も、エレベーター監視装置１２０１を経由して、監視記録装置１２０２に選択的に記録することができる。
【００８３】
以上、本実施の形態では、
エレベーター動作モードに応じて、動作状態信号と音声状態信号を選択的に記録するエレベーター監視装置を説明した。
より具体的には、以下の要素を備えるエレベーター監視装置を説明した。
アナログデジタル変換部・音声一時記憶部：アナログの音声信号をデジタル信号に変換して一時記憶する。
音声診断記録装置：音声データを記録する。
【００８４】
また、本実施の形態に係るエレベーター監視装置の動作モード判定部は、動作モードを、動作状態信号のうち、診断運転中の場合に、診断運転モードと判定することを説明した。
【００８５】
また、本実施の形態に係るエレベーター監視装置は、監視記録装置が複数ある場合に、動作モードに応じて送信先の記録装置を切り換えることを説明した。
【００８６】
なお、実施の形態１及び２では、エレベーターシステムを監視対象システムの例として説明した。
しかし、エレベーターシステム以外でも、複数の動作モードで動作可能であり、動作中に複数種の動作状態信号を収集し、収集した複数種の動作状態信号を記憶するシステムであれば、監視対象システムとすることができる。
例えば、エスカレーターシステム、空調システム、ビル管理システム、ファクトリーオートメーションシステム、鉄道や航空機等の運行管理システム等を監視対象システムとするようにしてもよい。
【００８７】
最後に、実施の形態１及び２に示したエレベーター監視装置１０１、１２０１のハードウェア構成例について説明する。
図２５は、実施の形態１及び２に示すエレベーター監視装置１０１、１２０１のハードウェア資源の一例を示す図である。
なお、図２５の構成は、あくまでもエレベーター監視装置１０１、１２０１のハードウェア構成の一例を示すものであり、エレベーター監視装置１０１、１２０１のハードウェア構成は図２５に記載の構成に限らず、他の構成であってもよい。
【００８８】
図２５において、エレベーター監視装置１０１、１２０１は、プログラムを実行するＣＰＵ９１１（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサともいう）を備えている。
ＣＰＵ９１１は、バス９１２を介して、例えば、ＲＯＭ（Ｒｅａｄ  Ｏｎｌｙ  Ｍｅｍｏｒｙ）９１３、ＲＡＭ（Ｒａｎｄｏｍ  Ａｃｃｅｓｓ  Ｍｅｍｏｒｙ）９１４、通信ボード９１５、表示装置９０１、キーボード９０２、マウス９０３、磁気ディスク装置９２０と接続され、これらのハードウェアデバイスを制御する。
更に、ＣＰＵ９１１は、ＦＤＤ９０４（Ｆｌｅｘｉｂｌｅ  Ｄｉｓｋ  Ｄｒｉｖｅ）、コンパクトディスク装置９０５（ＣＤＤ）、プリンタ装置９０６、スキャナ装置９０７と接続していてもよい。また、磁気ディスク装置９２０の代わりに、光ディスク装置、メモリカード（登録商標）読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置の一例である。
実施の形態１及び２で説明した「監視データ定義記憶部１３２、１２１２」は、ＲＡＭ９１４、磁気ディスク装置９２０等により実現される。
通信ボード９１５、キーボード９０２、マウス９０３、スキャナ装置９０７、ＦＤＤ９０４などは、入力装置の一例である。
また、通信ボード９１５、表示装置９０１、プリンタ装置９０６などは、出力装置の一例である。
【００８９】
通信ボード９１５は、例えば、ＬＡＮ（ローカルエリアネットワーク）、インターネット、ＷＡＮ（ワイドエリアネットワーク）、ＳＡＮ（ストレージエリアネットワーク）などに接続されている。
【００９０】
磁気ディスク装置９２０には、オペレーティングシステム９２１（ＯＳ）、ウィンドウシステム９２２、プログラム群９２３、ファイル群９２４が記憶されている。
プログラム群９２３のプログラムは、ＣＰＵ９１１がオペレーティングシステム９２１、ウィンドウシステム９２２を利用しながら実行する。
【００９１】
また、ＲＡＭ９１４には、ＣＰＵ９１１に実行させるオペレーティングシステム９２１のプログラムやアプリケーションプログラムの少なくとも一部が一時的に格納される。
また、ＲＡＭ９１４には、ＣＰＵ９１１による処理に必要な各種データが格納される。
【００９２】
また、ＲＯＭ９１３には、ＢＩＯＳ（Ｂａｓｉｃ  Ｉｎｐｕｔ  Ｏｕｔｐｕｔ  Ｓｙｓｔｅｍ）プログラムが格納され、磁気ディスク装置９２０にはブートプログラムが格納されている。
エレベーター監視装置１０１、１２０１の起動時には、ＲＯＭ９１３のＢＩＯＳプログラム及び磁気ディスク装置９２０のブートプログラムが実行され、ＢＩＯＳプログラム及びブートプログラムによりオペレーティングシステム９２１が起動される。
【００９３】
上記プログラム群９２３には、実施の形態１及び２の説明において「〜部」（「監視データ定義記憶部１３２、１２１２」以外、以下同様）として説明している機能を実行するプログラムが記憶されている。プログラムは、ＣＰＵ９１１により読み出され実行される。
【００９４】
ファイル群９２４には、実施の形態１及び２の説明において、「〜の判断」、「〜の計算」、「〜の加算」、「〜の算出」、「〜の導出」、「〜の比較」、「〜の評価」、「〜の読み取り」、「〜の読み出し」、「〜の更新」、「〜のセット」、「〜の設定」、「〜の登録」、「〜の選択」等として説明している処理の結果を示す情報やデータや信号値や変数値やパラメータが、「〜ファイル」や「〜データベース」の各項目として記憶されている。
「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・編集・出力・印刷・表示などのＣＰＵの動作に用いられる。
抽出・検索・参照・比較・演算・計算・処理・編集・出力・印刷・表示のＣＰＵの動作の間、情報やデータや信号値や変数値やパラメータは、メインメモリ、レジスタ、キャッシュメモリ、バッファメモリ等に一時的に記憶される。
また、実施の形態１及び２で説明しているフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ等の記録媒体に記録される。また、データや信号は、バス９１２や信号線やケーブルその他の伝送媒体によりオンライン伝送される。
【００９５】
また、実施の形態１及び２の説明において「〜部」として説明しているものは、「〜回路」、「〜装置」、「〜機器」であってもよく、また、「〜ステップ」、「〜手順」、「〜処理」であってもよい。
すなわち、実施の形態１及び２で説明したフローチャートに示すステップ、手順、処理により、本発明に係るシステム監視方法を実現することができる。
また、「〜部」として説明しているものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、実施の形態１及び２の「〜部」としてコンピュータを機能させるものである。あるいは、実施の形態１及び２の「〜部」の手順や方法をコンピュータに実行させるものである。
【００９６】
このように、実施の形態１及び２に示すエレベーター監視装置１０１、１２０１は、処理装置たるＣＰＵ、記憶装置たるメモリ、磁気ディスク等、入力装置たるキーボード、マウス、通信ボード等、出力装置たる表示装置、通信ボード等を備えるコンピュータであり、上記したように「〜部」として示された機能をこれら処理装置、記憶装置、入力装置、出力装置を用いて実現するものである。
【符号の説明】
【００９７】
１００  エレベーターシステム、１０１  エレベーター監視装置、１０２  監視記録装置、１０３  制御盤、１０４  巻上げ機、１０５  かご、１０６  釣合いおもり、１０７  扉、１０８  乗り場操作盤（１）、１０９  乗り場操作盤（２）、１１０  かご操作盤、１１１  点検操作盤、１１２  戸開閉センサ、１１３  ドアセーフティスイッチ、１１４  かご位置センサ、１１５  操作・センサ信号線、１１６  制御信号線、１１７  エレベーター制御部、１１８  動作状態記憶部、１１９  制御信号入出力部、１２０  操作・センサ信号入出力部、１２１  通信回線、１２２  監視Ｉ／Ｆ、１３０  動作状態選択読出し部、１３１  動作モード判定部、１３２  監視データ定義記憶部、１３３  動作状態データ出力部、１３４  出力負荷調整部、１４０  動作状態入力部、１４１  動作状態記録部、１４２  映像入力部、１４３  映像記録部、１４４  負荷監視部、１４５  監視カメラ、１４６  乗り場操作盤（３）、１４７  かご照明、１４８  ファン、１４９  ロープ、１５０  映像信号線、１２０１  エレベーター監視装置、１２０２  監視記録装置、１２０３  音声診断記録装置、１２０４  通信回線、１２１０  動作状態選択読出し部、１２１１  動作モード判定部、１２１２  監視データ定義記憶部、１２１３  動作状態データ出力部、１２１４  アナログデジタル変換部、１２１５  音声一時記憶部、１２２０  動作状態入力部、１２２１  動作状態記録部、１２３０  音声データ入力部、１２３１  音声診断記録部、１２５２  マイク、１２５３  音声信号線、１３００  保守端末装置。
【図１】
0005610853.tif 000002
【図２】
0005610853.tif 000003
【図３】
0005610853.tif 000004
【図４】
0005610853.tif 000005
【図５】
0005610853.tif 000006
【図６】
0005610853.tif 000007
【図７】
0005610853.tif 000008
【図８】
0005610853.tif 000009
【図９】
0005610853.tif 000010
【図１０】
0005610853.tif 000011
【図１１】
0005610853.tif 000012
【図１２】
0005610853.tif 000013
【図１３】
0005610853.tif 000014
【図１４】
0005610853.tif 000015
【図１５】
0005610853.tif 000016
【図１６】
0005610853.tif 000017
【図１７】
0005610853.tif 000018
【図１８】
0005610853.tif 000019
【図１９】
0005610853.tif 000020
【図２０】
0005610853.tif 000021
【図２１】
0005610853.tif 000022
【図２２】
0005610853.tif 000023
【図２３】
0005610853.tif 000024
【図２４】
0005610853.tif 000025
【図２５】
0005610853.tif 000026